(57)【要約】【課題】光源から発せられた光の検出値を輝度センサから高精度に取得することができ、ひいては、取得した検出値に基づく高精度な処理を実行可能にする技術を提供する。【解決手段】本発明の発光装置は、駆動信号が入力されたことに応じて第１の色の光を発し、前記第１の色の光が発せられてから所定の時間が経過したのちに前記第１の色と異なる第２の色の光を発する光源と、前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、設定された前記第１検出期間および前記第２検出期間に前記光源から発せられた光の輝度に対応する検出値を取得する検出手段と、を備える。【選択図】図１
2019003032.tif 000002
【特許請求の範囲】
【請求項１】
駆動信号が入力されたことに応じて第１の色の光を発し、前記第１の色の光が発せられてから所定の時間が経過したのちに前記第１の色と異なる第２の色の光を発する光源と、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする発光装置。
【請求項２】
前記設定手段は、前記光源に前記駆動信号が入力されていない期間内であって、前記光源に前記駆動信号が入力されている期間を前記所定の時間だけ遅延させた期間内に、前記第２検出期間を設定する
ことを特徴とする請求項１に記載の発光装置。
【請求項３】
前記設定手段は、
前記光源に前記駆動信号が入力されている期間内であって、前記第１の色の光が発せられ、かつ、前記第２の色の光が発せられていない期間内に、前記第１検出期間を設定し、
前記光源に前記駆動信号が入力されていない期間内であって、前記第２の色の光が発せられ、かつ、前記第１の色の光が発せられていない期間内に、前記第２検出期間を設定する
ことを特徴とする請求項１又は請求項２に記載の発光装置。
【請求項４】
前記検出手段によって取得された検出値に基づいて、前記光源から発せられた前記第１の色の光と前記第２の色の光とを時間積算して得られる出力光の色に関する発光色情報を取得する取得手段、をさらに備える
ことを特徴とする請求項１乃至請求項３のいずれか１項に記載の発光装置。
【請求項５】
前記発光色情報は、前記出力光の色と、所定の発光色との差を示す情報である
ことを特徴とする請求項４に記載の発光装置。
【請求項６】
前記発光色情報は、前記出力光のＸＹＺ三刺激値に基づく情報、ｕ’ｖ’色度値に基づく情報、及び、ｘｙ色度値に基づく情報の少なくともいずれかである
ことを特徴とする請求項４または請求項５に記載の発光装置。
【請求項７】
複数の前記光源を備え、
前記設定手段は、前記複数の光源のうちの対象光源の前記第１検出期間および前記第２検出期間を、前記対象光源の周辺の光源から前記第１の色の光および前記第２の色の光が発せられない期間内に設定する
ことを特徴とする請求項１乃至請求項６のいずれか１項に記載の発光装置。
【請求項８】
各光源への駆動信号の入力は周期的に行われ、
前記設定手段は、前記対象光源の前記第１検出期間および前記第２検出期間と、前記周辺の光源の前記第１検出期間および前記第２検出期間とのそれぞれを、各光源への駆動信号の入力周期内に設定し、
前記対象光源の前記第１検出期間および前記第２検出期間が設定される入力周期は、前記周辺の光源の前記第１検出期間および前記第２検出期間が設定される入力周期と異なることを特徴とする請求項７に記載の発光装置。
【請求項９】
前記対象光源から前記第１の色の光のみが発せられ、且つ、前記周辺の光源から前記第１の色の光および前記第２の色の光が発せられない期間と、前記対象光源から前記第２の色の光のみが発せられ、且つ、前記周辺の光源から前記第１の色の光および前記第２の色の光が発せられない期間とが作られるように、前記対象光源に入力する駆動信号と、前記周辺の光源に入力する駆動信号とのそれぞれを複数に分割する分割手段、をさらに備えることを特徴とする請求項７または請求項８に記載の発光装置。
【請求項１０】
請求項１乃至請求項９のいずれか１項に記載の発光装置と、
前記検出手段によって取得された検出値に基づいて、前記光源から発せられた前記第１の色の光と前記第２の色の光とを時間積算して得られる出力光の色を考慮して入力画像データを補正して表示画像データを生成する補正手段と、
前記発光装置から発せられた光を前記表示画像データに基づいて透過することにより画像を表示する表示手段と、
を備える表示装置。
【請求項１１】
駆動信号が入力されたことに応じて第１の色の光を発し、前記第１の色の光が発せられてから所定の時間が経過したのちに前記第１の色と異なる第２の色の光を発する光源と、
前記光源から発せられた光の輝度を測定する輝度センサと、
を備える発光装置に関する情報を取得する情報処理装置であって、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする情報処理装置。
【請求項１２】
駆動信号が入力されたことに応じて第１の色の光を発し、前記第１の色の光が発せられてから所定の時間が経過したのちに前記第１の色と異なる第２の色の光を発する光源と、
前記光源から発せられた光を表示画像データに基づいて透過することにより画像を表示する表示手段と、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
ことを特徴とする表示装置。
【請求項１３】
駆動信号が入力されたことに応じて第１の色の光を発し、前記第１の色の光が発せられてから所定の時間が経過したのちに前記第１の色と異なる第２の色の光を発する光源と、
前記光源から発せられた光の輝度を測定する輝度センサと、
を備える発光装置の制御方法であって、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定ステップと、
設定された前記第１検出期間および前記第２検出期間に前記光源から発せられた光の輝度に対応する検出値を取得する検出ステップと、
を有することを特徴とする制御方法。
【請求項１４】
請求項１３に記載の制御方法の各ステップをコンピュータに実行させるためのプログラム。
【発明の詳細な説明】
【技術分野】
【０００１】
本発明は、発光装置、表示装置、及び、情報処理装置に関する。
【背景技術】
【０００２】
液晶表示装置では、バックライトユニットの温度変化、バックライトユニットの劣化、等により、バックライトユニットの発光色、発光輝度、等の意図せぬ変化が生じる。そして、バックライトユニットの発光色、発光輝度、等の意図せぬ変化により、液晶表示装置の表示色、表示輝度、等の意図せぬ変化が生じる。
【０００３】
ここで、バックライトユニットが、光源部（光源）として、白色ＬＥＤ（白色光を発するＬＥＤ）を備える場合を考える。白色ＬＥＤは、ＬＥＤパッケージ内にＬＥＤチップと蛍光体を設けた構造を有する。ＬＥＤチップは、励起光（青色光など）を発する。そして、蛍光体は、ＬＥＤチップ上に設けられており、蛍光体への励起光の照射に応じて蛍光（黄色光、赤色光、緑色光、等）を発する。そのため、白色ＬＥＤの発光色は、ＬＥＤチップの発光特性と、蛍光体の発光特性との組み合わせによって決まる。一般的に、ＬＥＤチップと蛍光体の間で、バックライトユニットの温度変化、バックライトユニットの劣化、等に起因した発光特性の変化は異なる。そのため、バックライトユニットの温度変化、バックライトユニットの劣化、等によって、光源部の発光色などの意図せぬ変化が生じる。
【０００４】
液晶表示装置では、上記意図せぬ変化を抑制する制御が行われることがある。バックライトユニットは、多数の光源部（例えば、数百個のＬＥＤ）を備えることがある。そして、一般的に、液晶表示装置のコストを低減するために、液晶表示装置には、上記制御で用いられるセンサとして、少数（例えば、十数個）の安価な輝度センサが設けられる。従来の制御では、輝度センサを用いて光源部の発光輝度が検出され、発光輝度の検出値に基づいて、表示輝度の意図せぬ変化が抑制される。
【０００５】
しかしながら、輝度センサでは光源部の発光色は検出できないため、上記従来の制御では、光源部の発光輝度の検出値に基づいて、表示色の意図せぬ変化は抑制されない。表示色の意図せぬ変化を抑制するために、表示色を検出可能な測色器が用いられる。しかしながら、測色器の使用は、上記制御のコストの大幅な増加をまねく。
【０００６】
バックライトユニットの発光色、液晶表示装置の表示色、等の広色域化のために、バックライトユニットの光源部として、高演色型白色ＬＥＤ（遅延発光型ＬＥＤ）が用いられることがある。遅延発光型ＬＥＤでは、遅延発光型ＬＥＤへの駆動信号（電流、電圧、等）の供給に応じて、シアン色の発光が行われ、赤色の発光（赤色蛍光体の発光）が遅延して行われる。そして、シアン色光と赤色光の時間積算によって、遅延発光型ＬＥＤの発光色として、白色が実現される。
【０００７】
光源部から発せられた光の検出に関する従来技術は、例えば、特許文献１に開示されている。特許文献１に開示の技術では、輝度センサが、光源部に駆動電流が印加されている期間内の予め定められた２つのタイミングのそれぞれにおいて、ＬＥＤから発せられた光の輝度を検出する。そして、輝度センサを用いて得られた２つの検出値に基づいて、ＬＥＤから発せられる光の輝度を一定に保つためのフィードバック制御が行われる。
【先行技術文献】
【特許文献】
【０００８】
【特許文献１】特開２０１３−７３８０３号公報
【発明の概要】
【発明が解決しようとする課題】
【０００９】
しかしながら、遅延発光型ＬＥＤを備えるバックライトユニットに対して、特許文献１に開示の技術を用いると、白色光とは異なる光の検出値が、白色光の検出値として、輝度センサから誤って取得されることがある。例えば、シアン色の発光のみが行われている期間に検出されたシアン色光の検出値が、白色光の検出値として誤って取得されることがある。赤色の発光のみが行われている期間に検出された赤色光の検出値が、白色光の検出値として誤って取得されることもある。そのため、遅延発光型ＬＥＤから発せられた光の検出値を、輝度センサから高精度に取得することができない。また、遅延発光型ＬＥＤの発光色を、得られた検出値から判断することもできない。
【００１０】
本発明は、光源から発せられた光の検出値を輝度センサから高精度に取得することができ、ひいては、取得した検出値に基づく高精度な処理を実行可能にする技術を提供することを目的とする。
【課題を解決するための手段】
【００１１】
本発明の第１の態様は、
駆動信号が入力されたことに応じて第１の色の光を発し、前記第１の色の光が発せられてから所定の時間が経過したのちに前記第１の色と異なる第２の色の光を発する光源と、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする発光装置である。
【００１２】
本発明の第２の態様は、
上述した発光装置と、
前記検出手段によって取得された検出値に基づいて、前記光源から発せられた前記第１の色の光と前記第２の色の光とを時間積算して得られる出力光の色を考慮して入力画像データを補正して表示画像データを生成する補正手段と、
前記発光装置から発せられた光を前記表示画像データに基づいて透過することにより画像を表示する表示手段と、
を備える表示装置である。
【００１３】
本発明の第３の態様は、
駆動信号が入力されたことに応じて第１の色の光を発し、前記第１の色の光が発せられてから所定の時間が経過したのちに前記第１の色と異なる第２の色の光を発する光源と、
前記光源から発せられた光の輝度を測定する輝度センサと、
を備える発光装置に関する情報を取得する情報処理装置であって、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする情報処理装置である。
【００１４】
本発明の第４の態様は、
駆動信号が入力されたことに応じて第１の色の光を発し、前記第１の色の光が発せられ
てから所定の時間が経過したのちに前記第１の色と異なる第２の色の光を発する光源と、
前記光源から発せられた光を表示画像データに基づいて透過することにより画像を表示する表示手段と、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
ことを特徴とする表示装置である。
【００１５】
本発明の第５の態様は、
駆動信号が入力されたことに応じて第１の色の光を発し、前記第１の色の光が発せられてから所定の時間が経過したのちに前記第１の色と異なる第２の色の光を発する光源と、
前記光源から発せられた光の輝度を測定する輝度センサと、
を備える発光装置の制御方法であって、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定ステップと、
設定された前記第１検出期間および前記第２検出期間に前記光源から発せられた光の輝度に対応する検出値を取得する検出ステップと、
を有することを特徴とする制御方法である。
【００１６】
本発明の第６の態様は、上述した制御方法の各ステップをコンピュータに実行させるためのプログラムである。
【発明の効果】
【００１７】
本発明によれば、光源から発せられた光の検出値を輝度センサから高精度に取得することができ、ひいては、取得した検出値に基づく高精度な処理が実行可能となる。
【図面の簡単な説明】
【００１８】
【図１】実施例１に係る発光装置の構成例を示す図
【図２】実施例１に係る発光領域の一例を示す図
【図３】実施例１に係る検出期間の設定方法の一例を示す図
【図４】実施例１に係る色関係テーブルデータの一例を示す図
【図５】実施例１に係る検出期間の設定方法の一例を示す図
【図６】実施例２で解決される課題の一例を示す図
【図７】実施例２に係る検出期間の設定方法の一例を示す図
【図８】実施例３に係る発光装置の構成例を示す図
【図９】実施例３に係る発光領域の一例を示す図
【図１０】実施例３で解決される課題の一例を示す図
【図１１】実施例３に係る発光期間と検出期間の設定方法の一例を示す図
【図１２】実施例３に係る発光期間と検出期間の設定方法の一例を示す図
【図１３】実施例４に係る表示装置の構成例を示す図
【発明を実施するための形態】
【００１９】
＜実施例１＞
以下、本発明の実施例１について説明する。本実施例に係る情報処理装置は、発光装置に関する情報を取得する装置である。以下では、発光装置が情報処理装置を備える例を説明する。発光装置は、例えば、街灯、室内照明、顕微鏡照明、懐中電灯、家電装置、車載装置、等である。なお、情報処理装置は、発光装置とは別体の装置であってもよい。例え
ば、情報処理装置は、発光装置とは別体の、パーソナルコンピュータ（ＰＣ）、ＰＤＡ、タブレット端末、携帯電話端末（スマートフォンを含む）、家電装置、車載装置、等であってもよい。
【００２０】
［発光装置の構成］
本実施例に係る発光装置の構成例について説明する。図１は、本実施例に係る発光装置の構成例を示す。本実施例に係る発光装置は、光源部（光源）１０１、遅延情報記憶部１０２、検出タイミング制御部１０３、輝度センサ１０４、基準センサ値記憶部１０５、色関係情報記憶部１０６、及び、色変化判断部１０７を備える。
【００２１】
光源部１０１には、光源制御信号が入力される。光源部１０１は、光源制御信号に含まれる点灯指示に応じて、複数の色成分にそれぞれ対応する複数の発光を、互いに異なる複数のタイミングでそれぞれ開始する。具体的には、光源部１０１は、点灯指示に応じた第１タイミングで、第１色に対応する発光を開始し、第１タイミングから所定時間だけ経過した後の第２タイミングで、第２色に対応する発光を開始する。本実施例では、第１色と第２色は、白色を構成する２つの色成分にそれぞれ対応する。具体的には、第１色はシアン色であり、第２色は赤色である。
【００２２】
本実施例では、光源部１０１は、高演色型白色ＬＥＤ（遅延発光型ＬＥＤ）などの１つの発光素子である。遅延発光型ＬＥＤでは、遅延発光型ＬＥＤへの駆動信号（電流、電圧、等）の供給に応じて、シアン色の発光が行われ、赤色の発光（赤色蛍光体の発光）が遅延して行われる。そして、シアン色光と赤色光の時間積算によって、遅延発光型ＬＥＤの発光色として、白色が実現される。また、蛍光体は、ＬＥＤから発せられたシアン色の光が蛍光体に入射してから、赤色の光を発するまでに時間を要する。これは、蛍光体が蛍光体に与えられたエネルギーを一度吸収して電子またはホールをトラップしてから発光するためであると考えられる。
【００２３】
本実施例では、シアン色発光（シアン色の発光）の開始タイミングと、赤色発光（赤色の発光）の開始タイミングとの時間差を、遅延時間とする。遅延時間は、遅延発光型ＬＥＤの蛍光体の特性に応じて決定される。また、光源制御信号は、ＬＥＤを点灯させるタイミングを制御するためのパルス幅変調信号である。光源制御信号が指定した点灯期間に、ＬＥＤからシアン色の光が発せられる。光源制御信号を制御することにより、光源部１０１の発光を制御することができる。
【００２４】
図２は、光源部１０１に対応する発光領域２０１の一例を示す。発光領域２０１は、発光装置の発光面全体の領域である。そのため、光源部１０１の発光を制御することにより、発光面全体に渡って発光面から発せられる光を制御することができる。
【００２５】
なお、第１色はシアン色に限られないし、第２色は赤色に限られない。複数の発光は、２つの色成分にそれぞれ対応する２つの発光に限られない。３つ以上の色成分にそれぞれ対応する３つ以上の発光が行われてもよい。光源部１０１は、複数の発光素子を備えていてもよい。発光素子は、ＬＥＤ（発光ダイオード）と蛍光体を備える遅延発光型ＬＥＤに限られない。例えば、発光素子において、ＬＥＤの代わりに、有機ＥＬ（Ｅｌｅｃｔｒｏ−Ｌｕｍｉｎｅｓｃｅｎｃｅ）素子、レーザ光源、冷陰極管、等が使用されてもよい。発光装置は、複数の光源部を備えていてもよい。
【００２６】
遅延情報記憶部１０２は、遅延情報を予め記憶する。遅延情報は、複数の発光のそれぞれの遅延時間に関する情報である。遅延時間は、例えば、複数の発光のうちの最も早いタイミングで開始される発光の開始タイミングからの時間、点灯指示のタイミングからの時間、等である。本実施例では、遅延情報は、シアン色発光（シアン色の発光）の開始タイ
ミングから、赤色発光（赤色の発光）の開始タイミングまでの時間を、遅延時間として示す。即ち、遅延情報は、上記所定時間を示す。遅延情報記憶部１０２としては、例えば、半導体メモリ、磁気ディスク、光ディスク、等が使用される。なお、遅延情報記憶部１０２は、発光装置に対して着脱可能な記憶装置であってもよい。
【００２７】
遅延情報のフォーマットは特に限定されないが、本実施例では、遅延情報記憶部１０２は、遅延情報を含むテーブルデータである遅延テーブルデータを記憶する。例えば、光源部１０１の遅延時間は１０ｍｓｅｃであるとする。
【００２８】
検出タイミング制御部１０３は、複数の色成分（シアン色と赤色）のいずれかである対象成分の光のみが光源部１０１から発せられる期間を、検出期間として設定する。本実施例では、検出タイミング制御部１０３は、遅延情報を遅延情報記憶部１０２から読み出す。また、検出タイミング制御部１０３には、光源制御信号が入力される。そして、検出タイミング制御部１０３は、遅延情報と光源制御信号に基づいて、検出期間を設定する。具体的には、検出タイミング制御部１０３は、対象成分の光のみが光源部１０１から発せられる期間に輝度センサ１０４による検出が行われるように、センサ検出制御信号を生成し、センサ検出制御信号を輝度センサ１０４へ出力する。具体的には、検出タイミング制御部１０３は、シアン色の光のみが発せられている期間内に、シアン色光検出期間を設定する。また、検出タイミング制御部１０３は、赤色の光のみが発せられている期間内に、赤色光検出期間を設定する。センサ検出制御信号は、遅延情報と光源制御信号に基づいて生成される。
【００２９】
なお、輝度センサ１０４によって検出期間に検出された輝度に応じた検出値（センサ値）が色変化判断部１０７によって取得されれば、輝度センサ１０４による検出は検出期間以外に期間にさらに行われてもよい。
【００３０】
輝度センサ１０４は、光源部１０１から発せられた光の輝度を検出し、検出した輝度に応じたセンサ値を色変化判断部１０７へ出力する。本実施例では、輝度センサ１０４には、センサ検出制御信号が入力される。そして、輝度センサ１０４は、センサ検出制御信号に応じて、上記処理を行う。即ち、輝度センサ１０４は、検出期間に光源部１０１から発せられた光の輝度を検出し、検出した輝度に応じたセンサ値を色変化判断部１０７へ出力する。
【００３１】
基準センサ値記憶部１０５は、基準センサ値（センサ値の基準値）を予め記憶する。基準センサ値は、例えば、メーカによって予め定められた固定値、発光装置において定期的に自動で更新される値、ユーザによって指定された値、等である。具体的には、基準センサ値は、光源部１０１の発光色が白色である場合のセンサ値などである。基準センサ値記憶部１０５としては、例えば、半導体メモリ、磁気ディスク、光ディスク、等が使用される。なお、基準センサ値記憶部１０５は、発光装置に対して着脱可能な記憶装置であってもよい。発光色は、「光源部１０１から発せられた光をユーザが見たときにユーザによって知覚される色」、「複数の色成分にそれぞれ対応する複数の光の時間積算によって実現される出力光の色」、等とも言える。
【００３２】
色関係情報記憶部１０６は、色関係情報を予め記憶する。色関係情報は、センサ値と、光源部１０１の発光色に関する色関連値との対応関係を示す。色関係情報は、例えば、測色器などを用いて生成された情報、メーカによって予め定められた固定情報、発光装置において定期的に自動で更新される情報、ユーザによって指定された情報、等である。色関係情報記憶部１０６としては、例えば、半導体メモリ、磁気ディスク、光ディスク、等が使用される。なお、色関係情報記憶部１０６は、発光装置に対して着脱可能な記憶装置であってもよい。
【００３３】
色変化判断部１０７は、輝度センサ１０４によって検出期間に検出された輝度に応じたセンサ値を、対象成分に対応するセンサ値として、輝度センサ１０４から取得する。ここで、複数の対象成分にそれぞれ対応する複数の検出期間が設定された場合を考える。その場合には、色変化判断部１０７は、複数の対象成分のそれぞれについて、その対象成分に対応する検出期間に輝度センサ１０４によって検出された輝度に応じたセンサ値を、当該対象成分に対応するセンサ値として、輝度センサ１０４から取得する。例えば、シアン色に対応する検出期間に輝度センサ１０４によって検出された輝度に応じたセンサ値が、シアン色に対応するセンサ値として、輝度センサ１０４から取得される。そして、赤色に対応する検出期間に輝度センサ１０４によって検出された輝度に応じたセンサ値が、赤色に対応するセンサ値として、輝度センサ１０４から取得される。
【００３４】
さらに、本実施例では、色変化判断部１０７は、取得したセンサ値（現在のセンサ値）に基づいて、光源部１０１の発光色に関する値（発光色情報）を判断する。具体的には、色変化判断部１０７は、現在のセンサ値と、色関係情報とに基づいて、光源部１０１の発光色（現在の発光色）を示す発光色値を判断する。そして、色変化判断部１０７は、発光色値、基準センサ値、及び、色関係情報に基づいて、光源部１０１の発光色（現在の発光色）と所定の発光色との差を示す色変化値を判断する。
【００３５】
なお、光源部１０１の発光色に関する値として、発光色値と色変化値の一方のみが判断されてもよい。光源部１０１の発光色に関する値として、発光色値と色変化値とは異なる値が判断されてもよい。色変化判断部１０７は、取得したセンサ値を、対応する色成分と関連付けて他の装置へ出力してもよい。そして、光源部１０１の発光色に関する値の判断は、他の装置によって行われてもよい。
【００３６】
［検出期間の設定方法］
検出期間の設定方法の具体例について、図３を用いて説明する。ここでは、光源部１０１が、複数の制御期間のそれぞれに対して、シアン色発光と赤色発光とを１回ずつ行う例を説明する。発光装置が表示装置（実施例４）である場合には、１つの制御期間は、１つのフレームの期間（垂直同期期間）に対応する。
【００３７】
検出タイミング制御部１０３は、遅延情報と光源制御信号を取得する。図３において、符号４０１は、光源制御信号を示す。本実施例では、図３に示すように、制御期間の開始タイミングで、光源制御信号４０１が「Ｌｏｗ」から「Ｈｉｇｈ」に切り替わる。その後、光源制御信号４０１が「Ｈｉｇｈ」から「Ｌｏｗ」へ切り替わる。光源部１０１は、光源制御信号４０１＝「Ｈｉｇｈ」の期間にシアン色発光４０２を行う。すなわち、光源制御信号４０１は、光源部１０１がシアン色の光を発光する期間を示す。シアン色発光４０２の開始タイミングｔ１から遅延時間Ｖだけ遅延したタイミングｔ２で赤色発光４０３を開始する。赤色発光４０３の期間の長さは、シアン色発光４０２の期間の長さと略同一であるとする（「略」は「完全」を含む）。なお、赤色発光４０３の期間の長さは、蛍光体の特性に応じて決定されるものであって、シアン色発光４０２の期間の長さよりも長くても短くてもよいが、赤色発光４０３の期間の長さは、シアン色発光４０２の期間の長さに対応する長さとなる。ここで、１つの光源部１０１において、シアン色発光４０２の期間と赤色発光４０３の期間とは完全に分かれているとする。つまり、赤色の光は、光源制御信号４０１が「Ｈｉｇｈ」でない期間に発せられる。検出タイミング制御部１０３は、光源制御信号４０１と、遅延情報（遅延時間Ｖ）とから、シアン色発光４０２の期間、赤色発光４０３の期間、等を把握することができる。なお、シアン色発光の開始タイミングｔ１は、制御期間の開始タイミング、光源制御信号４０１が「Ｌｏｗ」から「Ｈｉｇｈ」に切り替わるタイミング、等よりも後のタイミングであってもよい。
【００３８】
そして、検出タイミング制御部１０３は、遅延情報と光源制御信号に基づいて、センサ検出制御信号を生成する。図３の符号４０６は、センサ検出制御信号を示す。センサ検出制御信号＝「Ｈｉｇｈ」の期間が検出期間である。
【００３９】
図３のセンサ検出制御信号４０６は、シアン色に対応する検出期間（シアン色光検出期間）と、赤色に対応する検出期間（赤色光検出期間）とを設定する場合の信号である。センサ検出制御信号４０６では、シアン色発光４０２の期間に検出期間Ｄ１が設定され、赤色発光４０３の期間に検出期間Ｄ２が設定されている。検出期間Ｄ１は、光源部１０１からシアン色の光のみが発せられる期間に含まれるように設定されている。検出期間Ｄ１は、光源制御信号４０１が「Ｈｉｇｈ」である期間に含まれるように設定されている。具体的には、シアン色発光４０２の開始タイミングｔ１からの期間が、シアン色に対応する検出期間Ｄ１として設定されている。検出期間Ｄ１では、光源部１０１からシアン色の光のみが発せられることから、検出期間Ｄ１で輝度センサ１０４が検出する検出値は、光源部１０１から発せられたシアン色の光の輝度に対応する。検出期間Ｄ２は、赤色の光が発せられる期間に含まれるように設定されている。検出期間Ｄ２は、光源制御信号４０１が「Ｈｉｇｈ」を維持していた期間を遅延時間Ｖだけ遅らせた期間であり、且つ、光源制御信号４０１が「Ｌｏｗ」である期間に含まれるように設定されている。具体的には、赤色発光４０３の開始タイミングｔ２からの期間が、赤色に対応する検出期間Ｄ２として設定されている。検出期間Ｄ２では、光源部１０１から赤色の光のみが発せられることから、検出期間Ｄ２で輝度センサ１０４が検出する検出値は、光源部１０１から発せられた赤色の光の輝度に対応する。
【００４０】
［色変化値の判断方法］
色変化値の判断方法の具体例について、図４を用いて説明する。ここでは、図３のセンサ検出制御信号４０６が生成された場合の例を説明する。図４は、色関係情報である色関係テーブルデータの一例を示す。色関係テーブルデータは、ＸＹＺ三刺激値を構成するＸ刺激値、Ｙ刺激値、及び、Ｚ刺激値のそれぞれを、色関連値として示す。具体的には、色関係テーブルデータは、以下の３つの対応関係を示す。以下の３つの対応関係において、センサ値ＹＲは検出期間Ｄ２で輝度センサ１０４によって検出された赤色光のセンサ値であり、センサ値ＹＣは検出期間Ｄ１で輝度センサ１０４によって検出されたシアン色光のセンサ値である。
・センサ値ＹＲとＸ刺激値ＫＸとの対応関係
・センサ値ＹＲおよびセンサ値ＹＣの和とＹ刺激値ＫＹとの対応関係
・センサ値ＹＣとＸ刺激値ＫＺとの対応関係
【００４１】
（ステップ１−１）
ステップ１−１にて、色変化判断部１０７は、輝度センサ１０４によって検出期間Ｄ１に検出されたセンサ値ＹＣを、輝度センサ１０４から取得する。センサ値ＹＣは、シアン色の光の輝度に対応する。また、色変化判断部１０７は、輝度センサ１０４によって検出期間Ｄ２に検出されたセンサ値ＹＲを、輝度センサ１０４から取得する。センサ値ＹＲは、赤色の光の輝度に対応する。そして、色変化判断部１０７は、センサ値ＹＲ，ＹＣと色関係テーブルデータに基づいて、光源部１０１の発光色（現在の発光色）を示す発光色値として、ＸＹＺ三刺激値（Ｘ刺激値，Ｙ刺激値，Ｚ刺激値）＝（ＫＸ，ＫＹ，ＫＺ）を判断する。具体的には、色変化判断部１０７は、検出されたセンサ値ＹＲに対応するＸ刺激値ＫＸを、色関係テーブルデータから取得する。色変化判断部１０７は、検出されたセンサ値ＹＲと検出されたセンサ値ＹＣとの和に対応するＹ刺激値ＫＹを、色関係テーブルデータから取得する。そして、色変化判断部１０７は、検出されたセンサ値ＹＣに対応するＺ刺激値ＫＺを、色関係テーブルデータから取得する。
【００４２】
なお、取得したセンサ値ＹＲ，ＹＣに対応する色関連値が、色関係テーブルデータにおいて示されていないことがある。その場合には、例えば、色関係テーブルデータにおいて示されている複数の色関連値を用いた補間処理により、取得したセンサ値に対応する色関連値を判断すればよい。
【００４３】
（ステップ１−２）
ステップ１−２にて、色変化判断部１０７は、基準発光色を示す情報を取得する。基準発光色を示す情報は、基準発光色（所定の発光色）を示すＸＹＺ三刺激値（ＣＸ，ＣＹ，ＣＺ）であるとする。なお、色変化判断部１０７は、基準センサ値記憶部１０５から取得した基準センサ値ＣＲ，ＣＣと、色関係テーブルデータとに基づいて、基準発光色を示す情報を取得するものであってもよい。基準センサ値ＣＲは、赤色光のセンサ値の基準値であり、基準センサ値ＣＣは、シアン色光のセンサ値の基準値である。
【００４４】
（ステップ１−３）
ステップ１−３にて、色変化判断部１０７は、ステップ１−１，１−２で得られたＸＹＺ三刺激値（ＫＸ，ＫＹ，ＫＺ），（ＣＸ，ＣＹ，ＣＺ）に基づいて、光源部１０１の発光色（現在の発光色）と基準発光色との差を示す色変化値を判断する。本実施例では、色変化判断部１０７は、Ｘ刺激値ＫＸとＸ刺激値ＣＸとの差を示すＸ変化値ＤＸ、Ｙ刺激値ＫＹとＹ刺激値ＣＹとの差を示すＹ変化値ＤＹ、及び、Ｚ刺激値ＫＺとＺ刺激値ＣＺとの差を示すＺ変化値ＤＺを判断する。具体的には、以下の式１に示すように、色変化判断部１０７は、Ｘ刺激値ＫＸをＸ刺激値ＣＸで除算することにより、Ｘ変化値ＤＸを算出する。以下の式２に示すように、色変化判断部１０７は、Ｙ刺激値ＫＹをＹ刺激値ＣＹで除算することにより、Ｙ変化値ＤＹを算出する。そして、以下の式３に示すように、色変化判断部１０７は、Ｚ刺激値ＫＺをＺ刺激値ＣＺで除算することにより、Ｚ変化値ＤＺを算出する。
ＤＸ＝ＫＸ／ＣＸ  ・・・（式１）
ＤＹ＝ＫＹ／ＣＹ  ・・・（式２）
ＤＺ＝ＫＺ／ＣＺ  ・・・（式３）
【００４５】
［変形例１］
本実施例では、光源部１０１の発光色に関する値（発光色値、色変化値、等）として、ＸＹＺ三刺激値に基づく値が判断される例を説明したが、これに限られない。例えば、光源部１０１の発光色に関する値として、ｕ’ｖ’色度値（ｕ’色度値，ｖ’色度値）に基づく値が判断されてもよい。ｕ’色度値とｖ’色度値のそれぞれを色関連値として用いれば、光源部１０１の発光色に関する値として、ｕ’ｖ’色度値（ｕ’ｖ’色度座標）に基づく値を判断することができる。光源部１０１の発光色に関する値として、ｘｙ色度値（ｘ色度値，ｙ色度値）に基づく値が判断されてもよい。ｘ色度値とｙ色度値のそれぞれを色関連値として用いれば、光源部１０１の発光色に関する値として、ｘｙ色度値（ｘｙ色度座標）に基づく値を判断することができる。光源部１０１の発光色に関する値として、Ｘ刺激値、Ｙ刺激値、Ｚ刺激値、ｕ’色度値、ｖ’色度値、ｘ色度値、及び、ｙ色度値の少なくともいずれかに基づく値が判断されてもよい。
【００４６】
また、本実施例では、色関係情報としてテーブルデータ（色関係テーブルデータ）が用いられる例を説明したが、これに限られない。例えば、色関係情報として、センサ値と色関連値の対応関係を示す関数などが使用されてもよい。
【００４７】
また、一般的に、光のＸ刺激値は当該光の赤色成分との相関性が高く、光のＹ刺激値は
当該光の赤色成分とシアン色成分の和との相関性が高く、光のＺ刺激値は当該光のシアン色成分との相関性が高い。そのため、本実施例では、センサ値ＲがＸ刺激値に対応付けられており、センサ値Ｒとセンサ値Ｃとの和がＹ刺激値に対応付けられており、センサ値ＣがＺ刺激値に対応付けられている例を説明した。しかしながら、センサ値と色関連値の対応関係は、これに限られない。例えば、センサ値と色関連値の対応関係は、センサ値と、光源部１０１の発光色の測定値とに基づいて決定されてもよい。センサ値ＲがＸ刺激値に対応付けられ、センサ値ＣがＹ刺激値とＺ刺激値に対応付けられてもよい。
【００４８】
また、本実施例では、輝度センサ１０４から取得されたセンサ値に基づいて、光源部１０１の発光色に関する値が判断される例を説明したが、これに限られない。例えば、シアン色光のセンサ値と、赤色光のセンサ値とに基づいて、光源部１０１の発光輝度などが判断されてもよい。発光輝度は、「光源部１０１から発せられた光をユーザが見たときにユーザによって知覚される輝度」、「複数の色成分にそれぞれ対応する複数の光の時間積算によって実現される出力光の輝度」、等とも言える。
【００４９】
また、本実施例では、シアン色光検出期間と赤色光検出期間を設定する例を説明したが、これに限られない。例えば、シアン色光検出期間のみが設定されてもよい。シアン色光検出期間が設定されれば、シアン色光のセンサ値として、センサ値ＹＣを取得することができ、Ｚ刺激値ＫＺ、Ｚ変化値ＤＺ、等を判断することができる。赤色光検出期間のみが設定されてもよい。赤色光検出期間が設定されれば、赤色光のセンサ値として、センサ値ＹＲを取得することができ、Ｘ刺激値ＫＸ、Ｘ変化値ＤＸ、等を判断することができる。
【００５０】
検出期間の設定方法の他の具体例について、図５を用いて説明する。図５の符号４０５は、センサ検出制御信号を示す。図５のセンサ検出制御信号４０５は、シアン色に対応する検出期間のみを設定する場合の信号である。センサ検出制御信号４０５では、図３の検出期間Ｄ２は設定されておらず、シアン色発光４０２の期間に検出期間Ｄ１が設定されている。図３を用いて説明したように、検出期間Ｄ１で輝度センサ１０４が検出する検出値は、光源部１０１から発せられたシアン色の光の輝度に対応する。
【００５１】
［効果］
以上述べたように、本実施例によれば、対象成分の光のみが光源部から発せられる期間が、検出期間として設定される。そして、輝度センサによって検出期間に検出された輝度に応じたセンサ値が、対象成分に対応するセンサ値として、輝度センサから取得される。それにより、光源部から発せられた光のセンサ値を高精度に取得することができる。具体的には、センサ値に対応する光の色成分を認識した上で、センサ値を取得することができる。ひいては、取得したセンサ値に基づく高精度な処理が実行可能となる。具体的には、光源部の発光色や発光輝度に関する値を高精度に判断することができる。
【００５２】
＜実施例２＞
以下、本発明の実施例２について説明する。実施例１（図３，５）では、シアン色発光の期間と赤色発光の期間とが完全に分かれている例を説明した。本実施例では、シアン色発光の期間の一部に赤色発光の期間の一部が重なる例を説明する。例えば、光源部の発光輝度が高い場合などにおいて、シアン色発光の期間の一部に赤色発光の期間の一部が重なる。なお、以下では、実施例１と異なる点（構成、処理、等）について詳しく説明し、実施例１と同じ点についての説明は省略する。
【００５３】
［検出期間の設定方法］
検出期間の設定方法の具体例について、図６，７を用いて説明する。ここでは、光源部１０１が、複数の制御期間のそれぞれに対して、シアン色発光と赤色発光とを１回ずつ行う例を説明する。また、ここでは、シアン色光検出期間と赤色光検出期間を設定する例を
説明する。
【００５４】
検出タイミング制御部１０３は、遅延情報と光源制御信号を取得する。図６，７において、符号５０１は、光源制御信号を示す。光源部１０１は、光源制御信号５０１＝「Ｈｉｇｈ」の期間にシアン色発光５０２を行い、シアン色発光５０２の開始タイミングｔ１から遅延時間Ｖだけ遅延したタイミングｔ２で赤色発光５０３を開始する。シアン色発光５０２の期間の一部は、赤色発光５０３の期間の一部に重なっている。例えば、期間５０５において、シアン色発光５０２と赤色発光５０３の両方が行われる。
【００５５】
そして、検出タイミング制御部１０３は、遅延情報と光源制御信号に基づいて、センサ検出制御信号を生成する。図６の符号５０７と、図７の符号５０８とのそれぞれは、センサ検出制御信号を示す。
【００５６】
図６のセンサ検出制御信号５０７は、実施例１（図３のセンサ検出制御信号４０６）と等しい。そのため、検出期間Ｄ１，Ｄ２が設定される。図６に示すように、センサ検出制御信号５０７では、シアン色発光５０２と赤色発光５０３の両方が行われる期間内に、検出期間Ｄ１，Ｄ２が設定される。そのため、検出期間Ｄ１，Ｄ２において、輝度センサ１０４は、光源部１０１から発せられたシアン色光のみの輝度、光源部１０１から発せられた赤色光のみの輝度、等を検出することができない。
【００５７】
そこで、本実施例では、検出タイミング制御部１０３は、遅延情報と光源制御信号に基づいて、図７のセンサ検出制御信号５０８を設定する。センサ検出制御信号５０８では、検出期間Ｄ３，Ｄ４が設定される。検出期間Ｄ３，Ｄ４の位相は、図６の検出期間Ｄ１，Ｄ２の位相から時間Ｕだけずれている。その結果、シアン色発光５０２のみが行われる期間内に検出期間（シアン色光検出期間）Ｄ３が設定され、赤色発光５０３のみが行われる期間内に検出期間（赤色光検出期間）Ｄ４が設定される。
【００５８】
具体的には、検出タイミング制御部１０３は、以下の式４，５を用いて、位相に対応する時間Ｕを算出し、時間Ｕに応じてセンサ検出制御信号を生成する。式４，５において、「Ｔ」は、光源制御信号５０１＝「Ｈｉｇｈ」の期間の長さ、シアン色発光５０２の期間の長さ、赤色発光５０３の期間の長さ、等である。「Ｓ」は、検出期間の長さである。「Ｊ」は、制御期間の長さである。
Ｔ＞Ｖかつ（Ｔ＋Ｓ）＜Ｊの場合：Ｕ＝（Ｖ＋Ｔ−Ｊ）以上かつ（Ｖ−Ｓ）以下
・・・（式４）
Ｔ≦Ｖの場合：Ｕ＝０  ・・・（式５）
【００５９】
［効果］
以上述べたように、本実施例によれば、対象成分の光のみが光源部から発せられる期間を、検出期間として、より確実に設定することができる。それにより、実施例１で述べた効果をより確実に得ることができる。
【００６０】
＜実施例３＞
以下、本発明の実施例３について説明する。実施例１，２では、発光装置が１つの光源部を備える例を説明した。本実施例では、発光装置が複数の光源部を備える例を説明する。なお、以下では、実施例１と異なる点（構成、処理、等）について詳しく説明し、実施例１と同じ点についての説明は省略する。
【００６１】
［発光装置の構成］
本実施例に係る発光装置の構成例について説明する。図８は、本実施例に係る発光装置の構成例を示す。本実施例に係る発光装置は、実施例１（図１）の光源部１０１の代わりに、３つの光源部３００Ａ〜３００Ｃを備える。３つの光源部３００Ａ〜３００Ｃのそれぞれは、光源部１０１の機能と同様の機能を有する。さらに、本実施例に係る発光装置は、実施例１の検出タイミング制御部１０３の代わりに、制御部３０１を備える。なお、光源部の数は３つより多くても少なくてもよい。
【００６２】
図９は、３つの光源部３００Ａ〜３００Ｃにそれぞれ対応する３つの発光領域６０１〜６０３の一例を示す。本実施例では、３つの光源部３００Ａ〜３００Ｃは垂直方向に並べられている。発光面の上側３分の１の領域である発光領域６０１が光源部３００Ａに対応付けられている。発光面の中側３分の１の領域である発光領域６０２が光源部３００Ｂに対応付けられている。そして、発光面の下側３分の１の領域である発光領域６０３が光源部３００Ｃに対応付けられている。
【００６３】
複数の発光（シアン色発光と赤色発光）の時間は、光源制御信号（点灯指示）応じて決まる。そのため、検出期間を設定可能な期間が光源制御信号によって作られないことがある。検出期間を設定可能な期間は、輝度センサ１０４が所望の輝度（１つの光源部から発せられた、対象成分の光の輝度）を高精度に検出できる期間である。
【００６４】
実施例１，２では、１つの光源部１０１が使用される。そのため、光源部１０１から発せられた光の輝度を輝度センサ１０４が検出する場合において、他の光源部から発せられた光が輝度センサ１０４に漏れ込むことはない。従って、実施例１，２において、検出期間を設定可能な期間は、対象成分の光のみが光源部１０１から発せられる期間などである。
【００６５】
一方、本実施例では、３つの光源部３００Ａ〜３００Ｃが使用される。そのため、光源部３００Ａ〜３００Ｃのいずれかである対象光源部から発せられた光の輝度を輝度センサ１０４が検出する場合において、対象光源部の周辺の光源部から発せられた光が輝度センサ１０４に漏れ込むことがある。このような光の漏れは、輝度センサ１０４の検出精度の低下をまねく。従って、本実施例において、検出期間を設定可能な期間は、対象成分の光のみが対象光源部から発せられ、且つ、対象光源部の周辺の光源部が消灯する期間などである。例えば、検出期間を設定可能な期間は、対象成分の光のみが対象光源部から発せられ、且つ、対象光源部以外の全ての光源部が消灯する期間である。対象光源部の周辺の光源部は、例えば、対象光源部からの距離が閾値以下の位置に設けられた光源部である。対象光源部に隣接する光源部のみが、対象光源部の周辺の光源部として用いられてもよい。
【００６６】
制御部３０１は、検出期間を設定可能な期間が作られるように、光源制御信号を生成し、光源制御信号を光源部へ出力する。光源制御信号の生成は、「点灯指示の実行」とも言える。また、制御部３０１は、実施例１の検出タイミング制御部１０３と同様の機能（検出期間の設定；センサ検出制御信号の生成および出力）をさらに有する。本実施例では、制御部３０１は、光源制御信号と遅延情報に基づいて、光源制御信号の補正と、センサ検出制御信号の生成とを行う。そして、制御部３０１は、補正後の光源制御信号と、センサ検出制御信号とを出力する。光源制御信号の生成と、センサ検出制御信号の生成とは、互いに異なる機能部によって実行されてもよい。
【００６７】
本実施例では、制御部３０１は、３つの光源部３００Ａ〜３００Ｃのそれぞれについて上記処理を行う。それにより、３つの光源部３００Ａ〜３００Ｃにそれぞれ対応する３つの光源制御信号が生成され、３つの光源部３００Ａ〜３００Ｃにそれぞれ対応する３つのセンサ検出制御信号（検出期間）が生成される。
【００６８】
輝度センサ１０４と色変化判断部１０７は、３つの光源部３００Ａ〜３００Ｃのそれぞれについて、実施例１で述べた処理を行う。例えば、色変化判断部１０７は、３つの光源部３００Ａ〜３００Ｃのそれぞれについて、その光源部に対応する検出期間に輝度センサ１０４によって検出された輝度に応じた検出値を、当該光源部に対応するセンサ値として、輝度センサ１０４から取得する。
【００６９】
なお、遅延情報、基準センサ値、及び、色関係情報のそれぞれは、３つの光源部３００Ａ〜３００Ｃの間で共通の情報（値）であってもよいし、そうでなくてもよい。発光装置は複数の輝度センサを備えていてもよい。光源部と輝度センサの対応関係が予め定められ、光源部から発せられた光の輝度が、当該光源部に対応する輝度センサによって検出されてもよい。
【００７０】
［発光期間と検出期間の設定方法］
発光期間と検出期間の設定方法の具体例について、図１０，１１を用いて説明する。ここでは、３つの光源部３００Ａ〜３００Ｃのそれぞれが、複数の制御期間のそれぞれに対して、シアン色発光と赤色発光とを行う例を説明する。すなわち、各光源部への駆動信号（「Ｈｉｇｈ」の光源制御信号）の入力が周期的に行われる。また、ここでは、シアン色光検出期間と赤色光検出期間を設定する例を説明する。
【００７１】
上述したように、制御部３０１は、遅延情報と光源制御信号を取得し、遅延情報と光源制御信号に基づいて、光源制御信号の補正と、センサ検出制御信号の生成とを行う。図１０の符号７０１は、光源部３００Ｂに対応する、補正前の光源制御信号を示し、図１１の符号７１１は、光源部３００Ｂに対応する、補正後の光源制御信号を示す。図１０の符号７０５と図１１の符号７１５とのそれぞれは、光源部３００Ｂに対応するセンサ検出制御信号を示す。
【００７２】
図１０の例では、光源部３００Ｂは、補正前の光源制御信号７０１に応じて、複数の制御期間のそれぞれに対して、１回のシアン色発光７０２と１回の赤色発光７０３とを行う。光源部３００Ａ，３００Ｃのそれぞれも、複数の制御期間のそれぞれに対して、１回のシアン色発光と１回の赤色発光とを行う。
【００７３】
図１０の例では、センサ検出制御信号７０５に応じて、光源部３００Ｂがシアン色発光７０２のみを行う検出期間Ｄ１１と、光源部３００Ｂが赤色発光７０３のみを行う検出期間Ｄ１２とが設定される。検出期間Ｄ１１，１２では、光源部３００Ａ，３００Ｃが発光を行う。そのため、検出期間Ｄ１１，Ｄ１２において、輝度センサ１０４は、光源部３００Ｂから発せられたシアン色光のみの輝度、光源部３００Ｂから発せられた赤色光のみの輝度、等を検出することができない。光源部３００Ａ，３００Ｃについても、同様の課題が生じる。
【００７４】
そこで、本実施例では、図１１に示すように、光源部３００Ｂについて、補正後の光源制御信号７１１が生成されて使用される。また、光源部３００Ｂについて、補正後の光源制御信号７１１に合うようにセンサ検出制御信号７１５が生成されて使用される。光源部３００Ａ，３００Ｃのそれぞれについても、光源部３００Ｂと同様に、補正後の光源制御信号と、センサ検出制御信号とが生成されて使用される。
【００７５】
図１１，１２に示すように、各光源部に入力する駆動信号（「Ｈｉｇｈ」の光源制御信号）は、補正により複数に分割される。図１１の例では、光源部３００Ｂは、補正後の光源制御信号７１１に応じて、複数の制御期間のそれぞれに対して、２回のシアン色発光７１２−１，７１２−２と２回の赤色発光７１３−１，７１３−２とを行う。光源部３００Ａ，３００Ｃのそれぞれも、複数の制御期間のそれぞれに対して、２回のシアン色発光と
２回の赤色発光とを行う。
【００７６】
図１１の例では、センサ検出制御信号７１５に応じて、光源部３００Ｂがシアン色発光７１２−１のみを行う検出期間Ｄ２１と、光源部３００Ｂが赤色発光７１３−１のみを行う検出期間Ｄ２２とが設定される。検出期間Ｄ２１，Ｄ２２では、光源部３００Ａ，３００Ｃが消灯する。そのため、検出期間Ｄ２１において、輝度センサ１０４は、光源部３００Ｂから発せられたシアン色光のみの輝度を高精度に検出することができる。そして、検出期間Ｄ２２において、輝度センサ１０４は、光源部３００Ｂから発せられた赤色光のみの輝度を高精度に検出することができる。光源部３００Ａ，３００Ｃについても、同様の効果が得られる。
【００７７】
［変形例１］
図１１の例では、１つの入力周期内に、複数の光源部にそれぞれ対応する複数の検出期間が設定される。入力周期は、各光源へ駆動信号が入力される周期であり、制御期間に対応する。しかしながら、図１１のような設定方法では、１つの制御期間に対応する時間であり、且つ、１つの光源部の発光の総時間の上限である上限時間が低減される。例えば、光源部の数が多いほど短い時間に、上限時間が低減される。上限時間が低減されると、光源部の発光輝度の上限も低減される。
【００７８】
そのため、図１２に示すように、複数の光源部にそれぞれ対応する複数の検出期間を設定してもよい。図１２の例では、複数の光源部のそれぞれについて、その光源部に対応する検出期間が、当該光源部の周辺の光源部に対応する検出期間が設定される制御期間とは異なる制御期間に設定される。具体的には、１番目の制御期間に、光源部３００Ａに対応する検出期間が設定され、２番目の制御期間に、光源部３００Ｂに対応する検出期間が設定され、３番目の制御期間に、光源部３００Ｃに対応する検出期間が設定される。これにより、上限時間の低減を抑制することができる。
【００７９】
［効果］
以上述べたように、本実施例によれば、複数の光源部のそれぞれについて、その光源部の周辺の光源部が消灯する期間が、当該光源部に対応する検出期間として設定される。そして、複数の光源部のそれぞれについて、その光源部に対応する検出期間に輝度センサによって検出された輝度に応じたセンサ値が、当該光源部に対応するセンサ値として、輝度センサから取得される。それにより、複数の光源部が用いられる場合において、各光源部から発せられた光のセンサ値を高精度に取得することができ、ひいては、取得したセンサ値に基づく高精度な処理が実行可能となる。具体的には、光源部から発せられた光のセンサ値として、他の光による影響が低減されたセンサ値を取得することができる。
【００８０】
＜実施例４＞
以下、本発明の実施例４について説明する。本実施例では、発光装置が表示装置である例を説明する。本実施例に係る表示装置は、光源部から発せられた光を表示画像データに基づいて透過することにより画像を表示する表示部を備える。表示装置は、例えば、液晶表示装置、ＭＥＭＳ（Ｍｉｃｒｏ  Ｅｌｅｃｔｒｏ  Ｍｅｃｈａｎｉｃａｌ  Ｓｙｓｔｅｍ）シャッター方式表示装置、等である。具体的には、表示装置は、広告表示装置、標識表示装置、投影装置（プロジェクタ）、ＰＣ、ＰＤＡ、タブレット端末、携帯電話端末、テレビジョン装置、撮像装置、デジタルフォトフレーム、ゲーム機、家電装置、車載装置、等である。なお、以下では、実施例１と異なる点（構成、処理、等）について詳しく説明し、実施例１と同じ点についての説明は省略する。
【００８１】
［表示装置の構成］
本実施例に係る表示装置の構成例について説明する。図１３は、本実施例に係る表示装
置の構成例を示す。本実施例に係る表示装置は、実施例１（図１）の発光装置が備える複数の機能部、色補正部８０１、及び、表示部８０２を備える。
【００８２】
色補正部８０１は、色変化判断部１０７によって輝度センサ１０４から取得されたセンサ値に基づいて、光源部１０１の発光色を考慮して入力画像データを補正することにより、表示画像データを生成する。入力画像データは、表示装置に入力された画像データ、表示装置が備える不図示の記憶部に記録された画像データ、等である。本実施例では、色補正部８０１は、色変化判断部１０７から色変化値を取得し、色変化値に基づいて入力画像データを補正することにより表示画像がデータを生成する。そして、色補正部８０１は、表示画像データを表示部８０２へ出力する。
【００８３】
表示部８０２は、光源部１０１から発せられた光を表示画像データに基づいて透過することにより、画面に画像を表示する。表示部８０２は、例えば、液晶パネル、ＭＥＭＳシャッター方式表示パネル、等である。
【００８４】
［入力画像データの補正方法］
入力画像データの補正方法の具体例について説明する。入力画像データのフォーマットは特に限定されないが、ここでは、入力画像データの各画素値がＲＧＢ値（Ｒ値，Ｇ値，Ｂ値）＝（Ｒｉ，Ｇｉ，Ｂｉ）である場合の例を説明する。
【００８５】
（ステップ２−１）
ステップ２−１にて、色補正部８０１は、入力画像データの各ＲＧＢ値（Ｒｉ，Ｇｉ，Ｂｉ）をＸＹＺ三刺激値（Ｘｐｉ，Ｙｐｉ，Ｚｐｉ）に変換する。本実施例では、色補正部８０１は、以下の式６を用いて、ＲＧＢ値（Ｒｉ，Ｇｉ，Ｂｉ）をＸＹＺ三刺激値（Ｘｐｉ，Ｙｐｉ，Ｚｐｉ）に変換する。式６の変換行列の要素ａＸ，ａＹ，ａＺ，ｂＸ，ｂＹ，ｂＺ，ｃＸ，ｃＹ，ｃＺは、画面から発せられた光の測定値に基づいて予め決定される。
【数１】
2019003032.tif 000003
【００８６】
（ステップ２−２）
ステップ２−２にて、色補正部８０１は、ステップ２−１で得られた各ＸＹＺ三刺激値（Ｘｐｉ，Ｙｐｉ，Ｚｐｉ）を色変化値（ＤＸ，ＤＹ，ＤＺ）で除算する。本実施例では、色変化値（ＤＸ，ＤＹ，ＤＺ）で除算された後のＸＹＺ三刺激値を「ＸＹＺ三刺激値（Ｘｏｉ，Ｙｏｉ，Ｚｏｉ）」と記載する。具体的には、式７に示すように、色補正部８０１は、Ｘ刺激値ＸｐｉをＸ変化値ＤＸで除算することにより、Ｘ刺激値Ｘｏｉを算出する。式８に示すように、色補正部８０１は、Ｙ刺激値ＹｐｉをＹ変化値ＤＹで除算することにより、Ｙ刺激値Ｙｏｉを算出する。そして、式９に示すように、色補正部８０１は、Ｚ刺激値ＺｐｉをＺ変化値ＤＺで除算することにより、Ｚ刺激値Ｚｏｉを算出する。
Ｘｏｉ＝Ｘｐｉ÷ＤＸ  ・・・（式７）
Ｙｏｉ＝Ｙｐｉ÷ＤＹ  ・・・（式８）
Ｚｏｉ＝Ｚｐｉ÷ＤＺ  ・・・（式９）
【００８７】
（ステップ２−３）
ステップ２−３にて、色補正部８０１は、ステップ２−２で算出された各ＸＹＺ三刺激
値（Ｘｏｉ，Ｙｏｉ，Ｚｏｉ）を、表示画像データの画素値であるＲＧＢ値（Ｒｏ，Ｇｏ，Ｂｏ）に再変換する。本実施例では、色補正部８０１は、以下の式１０を用いて、ＸＹＺ三刺激値（Ｘｏｉ，Ｙｏｉ，Ｚｏｉ）をＲＧＢ値（Ｒｏ，Ｇｏ，Ｂｏ）に再変換する。式１０の変換行列は、式６の変換行列の逆行列である。
【数２】
2019003032.tif 000004
【００８８】
［効果］
以上述べたように、本実施例によれば、高精度に取得されたセンサ値に基づいて入力画像データを補正することにより表示画像データが生成され、表示画像データに基づく画像が表示される。それにより、表示色（画面の色）、表示輝度（画面の輝度）、等の意図せぬ変化を抑制することができる。
【００８９】
なお、実施例１〜４の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００９０】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【００９１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９２】
１０１，３００Ａ〜３００Ｃ：光源部  １０３：検出タイミング制御部
１０４：輝度センサ  １０７：色変化判断部  ３０１：制御部  ８０２：表示部
【図１】
2019003032.tif 000005
【図２】
2019003032.tif 000006
【図３】
2019003032.tif 000007
【図４】
2019003032.tif 000008
【図５】
2019003032.tif 000009
【図６】
2019003032.tif 000010
【図７】
2019003032.tif 000011
【図８】
2019003032.tif 000012
【図９】
2019003032.tif 000013
【図１０】
2019003032.tif 000014
【図１１】
2019003032.tif 000015
【図１２】
2019003032.tif 000016
【図１３】
2019003032.tif 000017
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
駆動信号が入力されたことに応じて第１の色の光を発し、前記第１の色の光が発せられてから所定の時間が経過したのちに前記第１の色と異なる第２の色の光を発する光源と、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする発光装置。
【請求項２】
前記設定手段は、前記光源に前記駆動信号が入力されていない期間内であって、前記光源に前記駆動信号が入力されている期間を前記所定の時間だけ遅延させた期間内に、前記第２検出期間を設定する
ことを特徴とする請求項１に記載の発光装置。
【請求項３】
前記設定手段は、
前記光源に前記駆動信号が入力されている期間内であって、前記第１の色の光が発せられ、かつ、前記第２の色の光が発せられていない期間内に、前記第１検出期間を設定し、
前記光源に前記駆動信号が入力されていない期間内であって、前記第２の色の光が発せられ、かつ、前記第１の色の光が発せられていない期間内に、前記第２検出期間を設定する
ことを特徴とする請求項１又は請求項２に記載の発光装置。
【請求項４】
前記検出手段によって取得された検出値に基づいて、前記光源から発せられた前記第１の色の光と前記第２の色の光とを時間積算して得られる出力光の色に関する発光色情報を取得する取得手段、をさらに備える
ことを特徴とする請求項１乃至請求項３のいずれか１項に記載の発光装置。
【請求項５】
前記発光色情報は、前記出力光の色と、所定の発光色との差を示す情報である
ことを特徴とする請求項４に記載の発光装置。
【請求項６】
前記発光色情報は、前記出力光のＸＹＺ三刺激値に基づく情報、ｕ’ｖ’色度値に基づく情報、及び、ｘｙ色度値に基づく情報の少なくともいずれかである
ことを特徴とする請求項４または請求項５に記載の発光装置。
【請求項７】
複数の前記光源を備え、
前記設定手段は、前記複数の光源のうちの対象光源の前記第１検出期間および前記第２検出期間を、前記対象光源の周辺の光源から前記第１の色の光および前記第２の色の光が発せられない期間内に設定する
ことを特徴とする請求項１乃至請求項６のいずれか１項に記載の発光装置。
【請求項８】
各光源への駆動信号の入力は周期的に行われ、
前記設定手段は、前記対象光源の前記第１検出期間および前記第２検出期間と、前記周辺の光源の前記第１検出期間および前記第２検出期間とのそれぞれを、各光源への駆動信号の入力周期内に設定し、
前記対象光源の前記第１検出期間および前記第２検出期間が設定される入力周期は、前記周辺の光源の前記第１検出期間および前記第２検出期間が設定される入力周期と異なることを特徴とする請求項７に記載の発光装置。
【請求項９】
前記対象光源から前記第１の色の光のみが発せられ、且つ、前記周辺の光源から前記第１の色の光および前記第２の色の光が発せられない期間と、前記対象光源から前記第２の色の光のみが発せられ、且つ、前記周辺の光源から前記第１の色の光および前記第２の色の光が発せられない期間とが作られるように、前記対象光源に入力する駆動信号と、前記周辺の光源に入力する駆動信号とのそれぞれを複数に分割する分割手段、をさらに備えることを特徴とする請求項７または請求項８に記載の発光装置。
【請求項１０】
前記光源は、前記駆動信号が入力されたことに応じて前記第１の色の光を発するＬＥＤと、前記ＬＥＤ上に設けられ、前記第１の色の光によって前記第２の色の光を発する蛍光体と、を備える
ことを特徴とする請求項１乃至請求項９のいずれか１項に記載の発光装置。
【請求項１１】
前記検出手段は、入力した光の輝度に応じた検出値を出力する輝度センサである
ことを特徴とする請求項１乃至請求項１０のいずれか１項に記載の発光装置。
【請求項１２】
複数の前記光源を備え、
前記検出手段は前記複数の光源それぞれの輝度を検出可能な輝度センサである
ことを特徴とする請求項１乃至請求項１１のいずれか１項に記載の発光装置。
【請求項１３】
駆動信号が入力されたことに応じて第１の色の光を発し、前記第１の色の光が発せられてから所定の時間が経過したのちに前記第１の色と異なる第２の色の光を発する光源と、
前記光源から発せられた光の輝度を測定する輝度センサと、
を備える発光装置に関する情報を取得する情報処理装置であって、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする情報処理装置。
【請求項１４】
駆動信号が入力されたことに応じて第１の色の光を発し、前記第１の色の光が発せられてから所定の時間が経過したのちに前記第１の色と異なる第２の色の光を発する光源と、
前記光源から発せられた光を表示画像データに基づいて透過することにより画像を表示する表示手段と、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定手段と、
設定された前記第１検出期間および前記第２検出期間に前記光源から発せられた光の輝度に対応する検出値を取得する検出手段と、
を備えることを特徴とする表示装置。
【請求項１５】
前記検出手段によって取得された検出値に基づいて、前記光源から発せられた前記第１の色の光と前記第２の色の光とを時間積算して得られる出力光の色を考慮して入力画像データを補正して前記表示画像データを生成する補正手段、をさらに備える
ことを特徴とする請求項１４に記載の表示装置。
【請求項１６】
駆動信号が入力されたことに応じて第１の色の光を発し、前記第１の色の光が発せられてから所定の時間が経過したのちに前記第１の色と異なる第２の色の光を発する光源と、
前記光源から発せられた光の輝度を測定する輝度センサと、
を備える発光装置の制御方法であって、
前記駆動信号が前記光源に入力されている期間内に前記第１の色の光の輝度を検出するための第１検出期間を設定し、前記光源に前記駆動信号が入力されていない期間内に前記第２の色の光の輝度を検出するための第２検出期間を設定する設定ステップと、
設定された前記第１検出期間および前記第２検出期間に前記光源から発せられた光の輝度に対応する検出値を取得する検出ステップと、
を有することを特徴とする制御方法。
【請求項１７】
請求項１６に記載の制御方法の各ステップをコンピュータに実行させるためのプログラム。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
駆動信号が入力されたことに応じて第１の色の光を発するＬＥＤと、前記ＬＥＤから発せられた前記第１の色の光が入射したことに応じて、当該入射から所定の時間が経過したのちに第２の色の光を発する蛍光体と、を有する遅延発光型ＬＥＤと、
前記遅延発光型ＬＥＤから入射した光を検出し、当該光の輝度に対応する検出値を出力する輝度センサと、
前記遅延発光型ＬＥＤから前記第１の色の光が発せられ、かつ、前記第２の色の光が発せられていない第１検出期間内に検出された光の輝度に対応する第１検出値と、前記遅延発光型ＬＥＤから前記第２の色の光が発せられ、かつ、前記第１の色の光が発せられていない第２検出期間内に検出された光の輝度に対応する第２検出値とに基づいて、前記遅延発光型ＬＥＤから発せられた前記第１の色の光と前記第２の色の光とを時間積算して得られる出力光の色度に対応する発光色情報を取得して出力する出力手段と、
を備えることを特徴とする発光装置。
【請求項２】
前記発光色情報は、前記出力光の色度と所定の発光色の色度との差を示す情報である
ことを特徴とする請求項１に記載の発光装置。
【請求項３】
前記発光色情報は、前記出力光の色度を、ＸＹＺ三刺激値で示した情報、ｕ’ｖ’色度値で示した情報、及び、ｘｙ色度値で示した情報のうち、少なくともいずれかである
ことを特徴とする請求項１に記載の発光装置。
【請求項４】
複数の前記遅延発光型ＬＥＤと、
前記複数の遅延発光型ＬＥＤの発光を制御する制御手段と、
をさらに備え、
前記制御手段は、前記複数の遅延発光型ＬＥＤのうちのいずれかである対象光源の、前記第１検出値および前記第２検出値を取得する前記第１検出期間および前記第２検出期間に、少なくとも、前記複数の遅延発光型ＬＥＤのうちの前記対象光源に隣接する遅延発光型ＬＥＤである周辺光源から前記第１の色の光および前記第２の色の光が発せられないように、前記複数の遅延発光型ＬＥＤの発光を制御する
ことを特徴とする請求項１乃至請求項３のいずれか１項に記載の発光装置。
【請求項５】
各遅延発光型ＬＥＤへの駆動信号の入力は周期的に行われ、
前記制御手段は、前記対象光源の前記第１検出期間および前記第２検出期間が各遅延発光型ＬＥＤへの駆動信号の入力周期内に作られ、且つ、前記周辺光源の前記第１検出期間および前記第２検出期間が、各遅延発光型ＬＥＤへの駆動信号の、前記対象光源の前記第１検出期間および前記第２検出期間が作られる入力周期とは異なる入力周期内に作られるように、前記複数の遅延発光型ＬＥＤの発光を制御する
ことを特徴とする請求項４に記載の発光装置。
【請求項６】
前記制御手段は、前記対象光源から前記第１の色の光のみが発せられ、且つ、前記周辺光源から前記第１の色の光および前記第２の色の光が発せられない前記対象光源の前記第１検出期間と、前記対象光源から前記第２の色の光のみが発せられ、且つ、前記周辺光源から前記第１の色の光および前記第２の色の光が発せられない前記対象光源の前記第２検出期間とが作られるように、前記対象光源に入力する駆動信号と、前記周辺光源に入力する駆動信号とのそれぞれを複数に分割する
ことを特徴とする請求項４または請求項５に記載の発光装置。
【請求項７】
駆動信号が入力されたことに応じて第１の色の光を発するＬＥＤと、前記ＬＥＤから発せられた前記第１の色の光が入射したことに応じて、当該入射から所定の時間が経過したのちに第２の色の光を発する蛍光体と、を有する遅延発光型ＬＥＤと、
前記遅延発光型ＬＥＤから入射した光を検出し、当該光の輝度に対応する検出値を出力する輝度センサと、
前記遅延発光型ＬＥＤから発せられた光を表示画像データに基づいて透過することにより画像を表示する表示手段と、
を備え、
前記表示画像データは、前記遅延発光型ＬＥＤから前記第１の色の光が発せられ、かつ、前記第２の色の光が発せられていない第１検出期間内に検出された光の輝度に対応する第１検出値と、前記遅延発光型ＬＥＤから前記第２の色の光が発せられ、かつ、前記第１の色の光が発せられていない第２検出期間内に検出された光の輝度に対応する第２検出値とに基づいて取得された情報である、前記遅延発光型ＬＥＤから発せられた前記第１の色の光と前記第２の色の光とを時間積算して得られる出力光の色度に対応する発光色情報を用いて、入力画像データを補正した画像データである
ことを特徴とする表示装置。
【請求項８】
前記発光色情報は、前記出力光の色度と所定の発光色の色度との差を示す情報である
ことを特徴とする請求項７に記載の表示装置。
【請求項９】
前記発光色情報は、前記出力光の色度を、ＸＹＺ三刺激値で示した情報、ｕ’ｖ’色度値で示した情報、及び、ｘｙ色度値で示した情報のうち、少なくともいずれかである
ことを特徴とする請求項７に記載の表示装置。
【請求項１０】
複数の前記遅延発光型ＬＥＤと、
前記複数の遅延発光型ＬＥＤの発光を制御する制御手段と、
をさらに備え、
前記制御手段は、前記複数の遅延発光型ＬＥＤのうちのいずれかである対象光源の、前記第１検出値および前記第２検出値を取得する前記第１検出期間および前記第２検出期間に、少なくとも、前記複数の遅延発光型ＬＥＤのうちの前記対象光源に隣接する遅延発光型ＬＥＤである周辺光源から前記第１の色の光および前記第２の色の光が発せられないように、前記複数の遅延発光型ＬＥＤの発光を制御する
ことを特徴とする請求項７乃至請求項９のいずれか１項に記載の表示装置。
【請求項１１】
各遅延発光型ＬＥＤへの駆動信号の入力は周期的に行われ、
前記制御手段は、前記対象光源の前記第１検出期間および前記第２検出期間が各遅延発光型ＬＥＤへの駆動信号の入力周期内に作られ、且つ、前記周辺光源の前記第１検出期間および前記第２検出期間が、各遅延発光型ＬＥＤへの駆動信号の、前記対象光源の前記第１検出期間および前記第２検出期間が作られる入力周期とは異なる入力周期内に作られるように、前記複数の遅延発光型ＬＥＤの発光を制御する
ことを特徴とする請求項１０に記載の表示装置。
【請求項１２】
前記制御手段は、前記対象光源から前記第１の色の光のみが発せられ、且つ、前記周辺光源から前記第１の色の光および前記第２の色の光が発せられない前記対象光源の前記第１検出期間と、前記対象光源から前記第２の色の光のみが発せられ、且つ、前記周辺光源から前記第１の色の光および前記第２の色の光が発せられない前記対象光源の前記第２検出期間とが作られるように、前記対象光源に入力する駆動信号と、前記周辺光源に入力する駆動信号とのそれぞれを複数に分割する
ことを特徴とする請求項１０または請求項１１に記載の表示装置。
【請求項１３】
前記第１の色は、シアン色であり、
前記第２の色は、赤色である
ことを特徴とする請求項７乃至請求項１２のいずれか１項に記載の表示装置。
【請求項１４】
駆動信号が入力されたことに応じて第１の色の光を発するＬＥＤと、前記ＬＥＤから発せられた前記第１の色の光が入射したことに応じて、当該入射から所定の時間が経過したのちに第２の色の光を発する蛍光体と、を有する遅延発光型ＬＥＤと、
前記遅延発光型ＬＥＤから入射した光を検出し、当該光の輝度に対応する検出値を出力する輝度センサと、
を備える表示装置の制御方法であって、
前記遅延発光型ＬＥＤから前記第１の色の光が発せられ、かつ、前記第２の色の光が発せられていない第１検出期間内に検出された光の輝度に対応する第１検出値を取得するステップと、
前記遅延発光型ＬＥＤから前記第２の色の光が発せられ、かつ、前記第１の色の光が発せられていない第２検出期間内に検出された光の輝度に対応する第２検出値を取得するステップと、
前記遅延発光型ＬＥＤから発せられた光を表示画像データに基づいて透過することにより画像を表示するステップと、
を有し、
前記表示画像データは、前記第１検出値と前記第２検出値に基づいて取得された情報である、前記遅延発光型ＬＥＤから発せられた前記第１の色の光と前記第２の色の光とを時間積算して得られる出力光の色度に対応する発光色情報を用いて、入力画像データを補正した画像データである
ことを特徴とする制御方法。
【請求項１５】
請求項１４に記載の制御方法の各ステップをコンピュータに実行させるためのプログラム。
【手続補正３】
【補正対象書類名】明細書
【補正対象項目名】０００１
【補正方法】変更
【補正の内容】
【０００１】
本発明は、発光装置、表示装置、及び、制御方法に関する。
【手続補正４】
【補正対象書類名】明細書
【補正対象項目名】００１１
【補正方法】変更
【補正の内容】
【００１１】
本発明の第１の態様は、
駆動信号が入力されたことに応じて第１の色の光を発するＬＥＤと、前記ＬＥＤから発せられた前記第１の色の光が入射したことに応じて、当該入射から所定の時間が経過したのちに第２の色の光を発する蛍光体と、を有する遅延発光型ＬＥＤと、
前記遅延発光型ＬＥＤから入射した光を検出し、当該光の輝度に対応する検出値を出力する輝度センサと、
前記遅延発光型ＬＥＤから前記第１の色の光が発せられ、かつ、前記第２の色の光が発せられていない第１検出期間内に検出された光の輝度に対応する第１検出値と、前記遅延発光型ＬＥＤから前記第２の色の光が発せられ、かつ、前記第１の色の光が発せられていない第２検出期間内に検出された光の輝度に対応する第２検出値とに基づいて、前記遅延発光型ＬＥＤから発せられた前記第１の色の光と前記第２の色の光とを時間積算して得られる出力光の色度に対応する発光色情報を取得して出力する出力手段と、
を備えることを特徴とする発光装置である。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明の第２の態様は、
駆動信号が入力されたことに応じて第１の色の光を発するＬＥＤと、前記ＬＥＤから発せられた前記第１の色の光が入射したことに応じて、当該入射から所定の時間が経過したのちに第２の色の光を発する蛍光体と、を有する遅延発光型ＬＥＤと、
前記遅延発光型ＬＥＤから入射した光を検出し、当該光の輝度に対応する検出値を出力する輝度センサと、
前記遅延発光型ＬＥＤから発せられた光を表示画像データに基づいて透過することにより画像を表示する表示手段と、
を備え、
前記表示画像データは、前記遅延発光型ＬＥＤから前記第１の色の光が発せられ、かつ
、前記第２の色の光が発せられていない第１検出期間内に検出された光の輝度に対応する第１検出値と、前記遅延発光型ＬＥＤから前記第２の色の光が発せられ、かつ、前記第１の色の光が発せられていない第２検出期間内に検出された光の輝度に対応する第２検出値とに基づいて取得された情報である、前記遅延発光型ＬＥＤから発せられた前記第１の色の光と前記第２の色の光とを時間積算して得られる出力光の色度に対応する発光色情報を用いて、入力画像データを補正した画像データである
ことを特徴とする表示装置である。
【手続補正８】
【補正対象書類名】明細書
【補正対象項目名】００１５
【補正方法】変更
【補正の内容】
【００１５】
本発明の第３の態様は、
駆動信号が入力されたことに応じて第１の色の光を発するＬＥＤと、前記ＬＥＤから発せられた前記第１の色の光が入射したことに応じて、当該入射から所定の時間が経過したのちに第２の色の光を発する蛍光体と、を有する遅延発光型ＬＥＤと、
前記遅延発光型ＬＥＤから入射した光を検出し、当該光の輝度に対応する検出値を出力する輝度センサと、
を備える表示装置の制御方法であって、
前記遅延発光型ＬＥＤから前記第１の色の光が発せられ、かつ、前記第２の色の光が発せられていない第１検出期間内に検出された光の輝度に対応する第１検出値を取得するステップと、
前記遅延発光型ＬＥＤから前記第２の色の光が発せられ、かつ、前記第１の色の光が発せられていない第２検出期間内に検出された光の輝度に対応する第２検出値を取得するステップと、
前記遅延発光型ＬＥＤから発せられた光を表示画像データに基づいて透過することにより画像を表示するステップと、
を有し、
前記表示画像データは、前記第１検出値と前記第２検出値に基づいて取得された情報である、前記遅延発光型ＬＥＤから発せられた前記第１の色の光と前記第２の色の光とを時間積算して得られる出力光の色度に対応する発光色情報を用いて、入力画像データを補正した画像データである
ことを特徴とする制御方法である。
【手続補正９】
【補正対象書類名】明細書
【補正対象項目名】００１６
【補正方法】変更
【補正の内容】
【００１６】
本発明の第４の態様は、上述した制御方法の各ステップをコンピュータに実行させるためのプログラムである。